(57)【要約】【課題】床面に表れる化粧柄の見た目をより自然にすることのできるフローリングセットの梱包方法を提供する。【解決手段】明度、色相、および彩度の少なくとも１つを変化させたグラデーションを有する化粧柄２８が形成され、化粧柄２８が互いに異なる複数の印刷化粧シート１４を用意し、印刷化粧シート１４を木質基板１２にそれぞれ貼着し、木質基板１２をそれぞれ所定寸法に切断した後、実加工して、化粧柄２８が互いに異なるフローリング材１０を、１つのフローリングセット３２を構成するのに必要な枚数以上形成し、フローリング材１０をそれぞれ単位枚数だけ取り出し、梱包して、フローリングセット３２を構成することにより上記課題を解決できる。【選択図】図４
2012056614.tif 000002
【特許請求の範囲】
【請求項１】
明度、色相、および彩度の少なくとも１つを変化させたグラデーションを有する化粧柄が形成され、前記化粧柄が互いに異なる複数の印刷化粧シートを用意し、
前記印刷化粧シートを木質基板にそれぞれ貼着し、
前記木質基板をそれぞれ所定寸法に切断した後、実加工を施して、前記化粧柄が互いに異なるフローリング材を、１つのフローリングセットを構成するのに必要な枚数以上形成し、
前記フローリング材を単位枚数ずつ順に取り出して梱包することを特徴とするフローリングセットの梱包方法。
【請求項２】
明度、色相、および彩度の少なくとも１つを変化させたグラデーションを有する化粧柄が形成され、前記化粧柄が互いに異なる複数の印刷化粧シートを用意し、
前記印刷化粧シートを木質基板にそれぞれ貼着し、
前記木質基板をそれぞれ所定寸法に切断した後、実加工を施して、前記化粧柄が互いに異なるフローリング材を、１つのフローリングセットを構成するのに必要な枚数よりも多く形成し、
前記フローリング材を単位枚数ずつ順に取り出して梱包することを特徴とするフローリングセットの梱包方法。
【請求項３】
前記化粧柄が互いに異なる複数の前記印刷化粧シートに表された前記グラデーションは、前記各印刷化粧シートを並べたとき、当該グラデーションの変化が連続するように設定されていることを特徴とする請求項１または２に記載のフローリングセットの梱包方法。
【発明の詳細な説明】
【技術分野】
【０００１】
本発明は、住宅等の建築物における床材として用いられる、表面に化粧シートが取り付けられたフローリングセットの梱包方法に関する。
【背景技術】
【０００２】
従来から、図９（ａ）に示すように、例えば、３尺×６尺サイズで厚さが１１．７ｍｍの合板やＭＤＦ等からなる木質基板１の表面に、化粧柄が連続して印刷されてロール状に巻回された化粧シート２を貼り付け、然る後、これを幅方向に三等分割し、木口端面に実（さね）加工することによって構成された、長さ６尺×幅１尺×厚さ１２ｍｍであって幅方向に３枚ワンセットの化粧柄を有するフローリング材４が最も一般的に知られており（例えば、特許文献１）、このフローリング材４を単位枚数分（通常は６枚のフローリング材＝１坪単位）梱包してフローリングセット５が構成される。
【０００３】
フローリング材４の化粧シート２の化粧柄は、予め規定された寸法でデザインされた木目や幾何学模様等に、色の濃度（あるいは明度、または彩度）を変化させたグラデーションを加えたものであり、当該化粧柄をロール状に巻回されたシートにグラビア輪転印刷技術等で繰り返し連続して印刷することによって化粧シート２が構成されている。例えば、市場一般に流通しているシート印刷柄は、印刷設備の合理性等の理由で６００〜１５００ｍｍ単位長さで連続的に印刷されている。
【先行技術文献】
【特許文献】
【０００４】
【特許文献１】特開２００１−１３０２００号公報
【発明の概要】
【発明が解決しようとする課題】
【０００５】
しかしながら、上述のように、フローリングセット５を６枚（＝単位枚数）のフローリング材４で構成する場合、１つの化粧柄は上述のように３等分割切断されていることから、図９（ｂ）に示すように、１つのフローリングセット５には、同一の化粧柄が描かれたフローリング材４が２セット含まれることになる。
【０００６】
このようなフローリングセット５を内装工事現場で複数セット用いてそのまま床面施工すると、同一の化粧柄が描かれたフローリング材４が頻繁に繰り返して現れることから、床面の化粧柄全体が不自然な印象を与えることになる問題が生じていた。
【０００７】
本発明は、このような従来技術の問題点に鑑みて開発されたものであり、本発明の主たる課題は、施工現場で梱包を解いてフローリング材を順番に床面に配設したとき、化粧シートに印刷された同一の化粧柄が床面に表れる頻度を下げるとともに、同じ化粧柄同士を適度に離間させて配置することにより、床面に表れる化粧柄全体の見た目をより自然にすることのできるフローリングセットの梱包方法を提供することにある。
【課題を解決するための手段】
【０００８】
請求項１に記載した発明は、
「明度、色相、および彩度の少なくとも１つを変化させたグラデーションを有する化粧柄２８が形成され、前記化粧柄２８が互いに異なる複数の印刷化粧シート１４を用意し、
前記印刷化粧シート１４を木質基板１２にそれぞれ貼着し、
前記木質基板１２をそれぞれ所定寸法に切断した後、実加工を施して、前記化粧柄２８が互いに異なるフローリング材１０を、１つのフローリングセット３２を構成するのに必要な枚数以上形成し、
前記フローリング材１０を単位枚数ずつ順に取り出して梱包することを特徴とするフローリングセット３２の梱包方法」である。
【０００９】
この発明によれば、明度、色相、および彩度の少なくとも１つを変化させたグラデーションを有する化粧柄２８が互いに異なる、１つのフローリングセット３２を構成するのに必要な枚数以上のフローリング材１０を形成し、当該フローリング材１０を単位枚数ずつ順に取り出して梱包しているので、床面の施工現場でこの梱包を解いて当該フローリング材１０を順に床面に配設したとき、原則として、同じ化粧柄２８のフローリング材１０が少なくとも同一梱包中からは繰り返して配設されることがない。
【００１０】
これにより、同じ化粧柄が床面に表れる頻度が下がるとともに、同じ化粧柄を有するフローリング材１０同士が適度に離れて配置されるので、床面に表れる化粧柄全体の見た目をより自然にすることができる。
【００１１】
請求項２に記載した発明は、「化粧柄２８が互いに異なるフローリング材１０」の数を請求項１の「フローリングセット３２の梱包方法」よりもさらに多く設定したものであって、「明度、色相、および彩度の少なくとも１つを変化させたグラデーションを有する化粧柄２８が形成され、前記化粧柄２８が互いに異なる複数の印刷化粧シート１４を用意し、
前記印刷化粧シート１４を木質基板１２にそれぞれ貼着し、
前記木質基板１２をそれぞれ所定寸法に切断した後、実加工を施して、前記化粧柄２８が互いに異なるフローリング材１０を、１つのフローリングセット３２を構成するのに必要な枚数よりも多く形成し、
前記フローリング材１０を単位枚数ずつ順に取り出して梱包することを特徴とするフローリングセット３２の梱包方法」である。
【００１２】
請求項１における「フローリングセットの梱包方法」において、仮に、１つのフローリングセット５にまとめられるフローリング材１０の数と、フローリング材１０の種類とを同じ数に設定した場合、図５に示すように、万一、１種類のフローリング材１０（Ｄ）に不良が見つかり、当該不良フローリング材１０（Ｄ）を取り除いた後、次のフローリング材１０を順に前に詰めていくと、１つのフローリングセット３２に対して同じ化粧柄２８Ａのフローリング材１０（Ａ）が２枚重複して収納されることになり、当該フローリングセット３２を用いて床面を施工した場合、化粧柄全体の見た目がやや不自然になる可能性がある。
【００１３】
しかし、請求項２に記載した「フローリングセットの梱包方法」によれば、化粧柄２８が互いに異なるフローリング材１０を、１つのフローリングセット３２を構成するのに必要な枚数よりも多く形成しているので、万一、いずれかのフローリング材１０に不良が見つかり、当該不良フローリング材１０を取り除いた後、次のフローリング材１０を順に前に詰めていったとしても、１つのフローリングセット３２中に同じ化粧柄２８のフローリング材１０が収納されるおそれを極小化することができる。
【００１４】
請求項３に記載した発明は、請求項１または２に記載の「フローリングセットの梱包方法」に関し、「前記化粧柄２８が互いに異なる複数の前記印刷化粧シート１４に表された前記グラデーションは、前記各印刷化粧シート１４を並べたとき、当該グラデーションの変化が連続するように設定されている」ことを特徴とする。
【００１５】
グラデーションの変化の幅（例えば、最低明度と最高明度との間の明度差）を定めたとき、これを１種類の化粧柄２８で表現しようとすると、図５（ａ）に示すように、化粧柄２８中における変化の幅が大きくなり、このような化粧柄２８が表されたフローリング材１０を床面に配置したときの違和感が大きくなる。加えて、フローリング材１０における明度、色相、あるいは彩度（以下、「明度等」という。）のバリエーションも少なくなることから、同じ明度等の化粧柄２８が表されたフローリング材１０が隣り合った状態で床面に配置されることによって不自然になるおそれがある。
【００１６】
これに対し、本発明によれば、互いに異なる複数種類の化粧柄２８Ａ、２８Ｂのグラデーションが連続するように設定されているので、１つの化粧柄２８Ａ、２８Ｂ中での明度等の幅は小さくなり（化粧柄２８を２種類にすれば、図５（ｂ）に示すように、１つの化粧柄２８における明度等の幅は１／２になり、図５（ｃ）に示すように、３種類にすれば明度等の幅は１／３になる。）、フローリング材１０を床面に配置したときの違和感が小さくなるとともに、フローリング材１０における明度等のバリエーションが増えることによって同じ明度等の化粧柄２８が表されたフローリング材１０が隣り合った状態で床面に配置される可能性がより低くなる。
【発明の効果】
【００１７】
本発明のフローリングセットの梱包方法によれば、１つのフローリングセットに対して同一の化粧柄のフローリング材が重複して収納されるおそれを極小化できるので、施工現場で張り合わせた時に、同一の化粧柄が床面に表れる頻度を下げるとともに同じ化粧柄同士を適度に離間させて配置することにより、床面に表れる化粧柄全体の見た目をより自然にすることができた。
【図面の簡単な説明】
【００１８】
【図１】フローリング材を示す断面斜視図である。
【図２】フローリング材の他の実施例を示す断面図である。
【図３】化粧柄の例を示す図である。
【図４】第１の実施例に係るフローリングセットの製造・梱包手順を示す図である。
【図５】複数種類の化粧柄のグラデーションが連続するように設定することで、明度の変化の幅が小さくなることを説明する図である。
【図６】不良が生じると同じ化粧柄のフローリング材が重複して梱包されることを示す図である。
【図７】第２の実施例に係るフローリングセットの製造・梱包手順を示す図である。
【図８】不良のフローリング材が生じた場合であっても、フローリングセット中に同一化粧柄のフローリング材が含まれないことを示す図である。
【図９】従来技術を示す図である。
【発明を実施するための形態】
【００１９】
以下、本発明の実施態様について図面を用いて説明する。なお、本明細書では、各符号に関し、各構成要素を上位概念で示す場合には、アルファベットの枝番をつけずアラビア数字のみで示し、各構成要素を区別する必要がある場合（すなわち下位概念で示す場合）にはアルファベットの枝番をアラビア数字に付して区別する。
【００２０】
最初に、フローリング材１０について図１を用いて説明すると、フローリング材１０は、大略、木質基板１２と、印刷化粧シート１４と、クリア樹脂層１６とで構成されている。
【００２１】
木質基板１２は、合板、ＬＶＬ、ＭＤＦ、集成材、パーティクルボード、ストランドボード、単板等の木質材料からなる短冊状の板材であり、その幅方向一方端面および長手方向一方端面には、矩形状断面を有する雄実部２０が突設されており、また、幅方向他方端面および長手方向他方端面には、別のフローリング材１０に形成された雄実部２０が嵌め込まれる雌実部２２が凹設されている。なお、雄実部２０および雌実部２２の形状は、これに限られるものではなく、図２（ａ）に示すように、雄実部２０の下面側に切除幅の大きい嵌合空間部２４を形成し、雌実部２２の下部に当該嵌合空間部２４に係合する幅広の突出部２６を形成してもよいし、図２（ｂ）に示すように、木質基板１２における幅方向一方端面の上半部側に雄実部２０を形成し、幅方向他方端面にはその下半部側に雄実部２０を突設するようにしてもよい。いわゆる、本実加工、あいじゃくり実加工、やとい実加工等の実加工形状は上記実施例に限られるものではないが、本発明の効果は、施工時の雄実あるいは雌実が予め決められている（すなわち、フローリング材１０同士が互いに隣接する）本実加工やあいじゃくり実加工等において特に有効である。
【００２２】
印刷化粧シート１４は、図３に示すように、化粧柄２８としてケヤキの木目模様がその表面に連続して印刷された、例えば秤量２５g/m2程度の薄葉紙であり（もちろん、印刷化粧シート１４の材質はこれに限られるものではなく、晒クラフト紙、チタン紙、リンター紙、板紙、石膏ボード紙等の紙、ポリエチレンフィルム、ポリプロピレンフィルム、ポリ塩化ビニルフィルム、ポリ塩化ビニリデンフィルム、ポリビニルアルコールフィルム、ポリエチレンテレフタレートフィルム、ポリカーボネートフィルム、ナイロンフィルム、ポリスチレンフィルム、エチレン−酢酸ビニル共重合体フィルム、エチレン−ビニルアルコール共重合体フィルム等のプラスチックフィルム、あるいは、鉄、アルミニウム、銅等の金属箔を用いることができる。）、木質基板１２の表面に例えば樹脂系接着剤を用いて貼着されている。また、印刷化粧シート１４の表面に印刷される化粧柄２８としては、上述したケヤキに代表される木目模様に限られることはなく、他品種の樹木の木目模様であってもよいし、幾何学模様等であってもよい。
【００２３】
また、化粧柄２８には、図中左側から右側に向かって明度が暗くなるようなグラデーションが施されている。なお、本実施例では、明度でグラデーションを構成しているが、これに代えて、色相あるいは彩度を変化させることによってグラデーションを構成してもよい。また、明度、色相、および彩度の内、任意の２つあるいは全てを変化させてグラデーションを構成してもよい。
【００２４】
さらに、グラデーション変化の方向も、本実施例のように図中左側から右側に向かって変化させるだけでなく、化粧柄２８の中央部が最も暗く（あるいは明るく）、左右側に向かって明るく（あるいは暗く）なるように変化させてもよいし、変化の度合いも、均一に変化させるだけでなく、ある位置から急激に明るく（あるいは暗く）なるように変化させてもよい。もちろん、グラデーションを無段階に変化させてもよいし、段階的に変化させてもよい。
【００２５】
クリア樹脂層１６（図１）は、フローリング材１０表面の耐傷性、耐摩耗性、耐水性、耐汚染性等の表面保護性能を向上させるため、当該表面にアクリル樹脂系、ウレタン樹脂系、アミノ樹脂系、ポリエステル樹脂系等の透明合成樹脂塗料を塗布して形成されている。このクリア樹脂層１６は、床面に配設される前段階の個々のフローリング材１０表面に塗布してもよいし、クリア樹脂層１６形成前に複数のフローリング材１０を床面に配設し、全てのフローリング材１０を配設し終わってから、床面全体に上記クリア樹脂層１６を形成してもよい。
【００２６】
また、化粧柄２８の表面に予めクリア樹脂層１６が一体に形成された印刷化粧シート１４を使用してもよい。印刷化粧シート１４の表面に予めクリア樹脂層１６を設ける場合は、アクリル系樹脂、ポリエチレンテレフタレート系樹脂、オレフィン系樹脂等の透明樹脂シートを接着剤で積層一体化してもよいし、加熱一体化してもよい（もちろん、塗装により設けてもよい）。
【００２７】
次に、このフローリング材１０を製造するとともに、単位枚数のフローリング材１０をまとめてフローリングセット３２を構成する「フローリングセットの梱包方法」について説明する。
【００２８】
最初に、図４に示すように、明度、色相、および彩度の少なくとも１つを変化させたグラデーションを有し、予め規定した寸法の化粧柄２８（本実施例では、フローリング材１０の長さが化粧柄２８の長さの１．５倍に設定されている。）を複数種類用意し（本実施例では、２種類の化粧柄２８Ａ、２８Ｂを用意した場合について説明する。）、これら複数種類の化粧柄２８Ａ、２８Ｂを、それぞれロールされた長尺のシートに対して繰り返し連続的に印刷してロールされた印刷化粧シート１４Ａ、１４Ｂを形成する。もちろん、各化粧柄２８Ａ、２８Ｂを独立して印刷した印刷化粧シート１４Ａ、１４Ｂを使用することもできる。本実施例において、印刷化粧シート１４の幅は、３尺に設定されている。
【００２９】
なお、本実施例における印刷化粧シート１４Ａ、１４Ｂのグラデーションは、図中左側から右側に向かって明度が暗くなるように設定されているが、明度の変化は、印刷化粧シート１４Ａの右側に印刷化粧シート１４Ｂを隣接させたとき、印刷化粧シート１４Ａから印刷化粧シート１４Ｂにかけて、明度の変化が連続するように設定するのが好適である（これは３種類以上の化粧柄２８を使用する場合も同じである。また、色相や彩度を変化させる場合も同じ。）。
【００３０】
なぜならば、施工後に最適となるようなグラデーションの明度の幅（最低明度と最高明度との間の明度差）を定めたとき、これを１種類の化粧柄２８で表現しようとすると、図５（ａ）に示すように、化粧柄２８中での明度の幅が大きくなり、このような化粧柄２８が表されたフローリング材１０を床面に配置したときの違和感が大きくなる。加えて、明度のバリエーションも少なくなることから、同じ明度の化粧柄２８が表されたフローリング材１０が隣り合った状態で床面に配置されることによって不自然になるおそれがあるからである。
【００３１】
これに対し、互いに異なる複数種類の化粧柄２８Ａ、２８Ｂのグラデーションが連続するように設定すれば、１つの化粧柄２８Ａ、２８Ｂ中での明度の幅は小さくなり（化粧柄２８を２種類にすれば、図５（ｂ）に示すように、１つの化粧柄２８における明度の幅は１／２になり、図５（ｃ）に示すように、３種類にすれば明度の幅は１／３になる。）、フローリング材１０を床面に配置したときの違和感が小さくなるとともに、明度のバリエーションが増えることによって同じ明度の化粧柄２８が表されたフローリング材１０が隣り合った状態で床面に配置される可能性がより低くなるので好適である。
【００３２】
続けて、印刷化粧シート１４とは別に、印刷化粧シート１４の幅とほぼ同じ寸法か、やや狭い幅を有する木質基板１２を用意する（独立印刷した印刷化粧シート１４を使用する場合には、当該印刷化粧シート１４の大きさに応じた木質基板１２を使用してもよい。）。本実施例において、木質基板１２は、３尺×６尺の大判サイズに設定されている。
【００３３】
次に、図示しないが、ロール状に巻回された印刷化粧シート１４を引き出しながら当該印刷化粧シート１４の裏面に樹脂系接着剤をナイフコーターやロールコーター等の接着剤塗布設備で塗布し、これら印刷化粧シート１４を木質基板１２に貼着した後、一定時間圧締養生を行って、木質基板１２上に印刷化粧シート１４を積層一体化する。
【００３４】
然る後、木質基板１２を所定の寸法で幅方向に切断（本実施例では、幅方向に三等分割されている。したがって、分割後のサイズは、１尺×６尺サイズとなる。）し、図示しないが、続いて、切り出した木質基板１２の側面に雄実部２０および雌実部２２を形成することにより、１尺×６尺サイズのフローリング材１０が完成する。
【００３５】
このとき、各化粧柄２８Ａ、２８Ｂには、上述したように、左右方向（＝幅方向）にグラデーションが施されていることから、２種類の化粧柄２８を幅方向に三等分割して形成された６種類のフローリング材１０（Ａ）〜（Ｆ）の化粧柄２８は、それぞれ明度が異なるものとなる（色相あるいは彩度を変化させてグラデーションを構成した場合には、当然、色相あるいは彩度が異なることになる。）。
【００３６】
なお、この状態（個々のフローリング材１０がバラバラの状態）でフローリング材１０の表面にクリア樹脂層１６を形成してもよい。もちろん、全てのフローリング材１０を床面に配設し終わった後、床面全体にクリア樹脂層１６を形成してもよい。
【００３７】
然る後、これら６種類のフローリング材１０を、フローリングセット３２を構成する単位枚数（本実施例では６枚）ずつ順に取り出して積み重ねた後、梱包することにより、フローリングセット３２が完成する。
【００３８】
各フローリング材１０を積み重ねる順番はどのようなものであってもよいが、図示するように、明度の暗いものから明るいもの（あるいは明るいものから暗いもの）の順に積み重ねるのが好適である。
【００３９】
この実施例によれば、明度、色相、および彩度の少なくとも１つを変化させたグラデーションを有する化粧柄２８が互いに異なるフローリング材１０を、１つのフローリングセット３２を構成する数と同数形成し、当該フローリング材を単位枚数ずつ順に取り出して梱包しているので、床面の施工現場でこの梱包を解いて当該フローリング材１０を順に床面に配設したとき、原則として、同じ化粧柄２８のフローリング材１０が少なくとも該梱包中からは繰り返して配設されることがない。
【００４０】
これにより、同じ化粧柄が床面に表れる頻度が下がるとともに、同じ化粧柄を有するフローリング材１０同士が適度に離れて配置されるので、床面に表れる化粧柄全体の見た目をより自然にすることができる。
【００４１】
ところで、上記実施例にように、化粧柄２８が互いに異なるフローリング材１０を１つのフローリングセット３２を構成する数と同数形成した場合、図６に示すように、万一、１種類のフローリング材１０（Ｄ）に不良が見つかり、当該不良フローリング材１０（Ｄ）を取り除いた後、次のフローリング材１０を順に前に詰めていくと、１つのフローリングセット３２に対して同じ化粧柄のフローリング材１０（Ａ）が２枚重複して収納されることになり、当該フローリングセット３２を用いて床面を施工した場合、化粧柄全体の見た目がやや不自然になる可能性がある（もちろん、不良が見つかったフローリング材１０（Ｄ）と同じ化粧柄２８のフローリング材１０（Ｄ）を当該フローリングセット３２に入れられれば問題ないのであるが、連続して多数のフローリング材１０が製造され、次々に梱包されてフローリングセット３２が製造されていく工程中に、同じ化粧柄２８のフローリング材１０に取り替えることには無理がある。また、床面施工時に施工現場で同じ化粧柄２８のフローリング材１０に取り替えることも、作業効率を著しく低下させる点で現実的ではない。）。
【００４２】
そこで、上記実施例では、化粧柄２８が互いに異なるフローリング材１０を１つのフローリングセット３２を構成する数と同数形成していたが、これに代えて、図７に示すように、１つのフローリングセット３２を構成するのに必要な数よりもフローリング材１０の数を多く形成してもよい。
【００４３】
この実施例では、３種類の化粧柄２８Ａ、２８Ｂ、２８Ｃを用意し（もちろん、４種類以上の化粧柄を用意してもよい。）、上記実施例と同様、各化粧柄２８Ａ、２８Ｂ、２８Ｃを連続して印刷したロール状の印刷化粧シート１４Ａ、１４Ｂ、１４Ｃを形成し、これらを木質基板１２に樹脂系接着剤等を用いて貼着した後、当該木質基板１２をそれぞれ所定の寸法に切断して９種類のフローリング材１０（Ａ）〜（Ｉ）を形成し、実加工を行う（図示せず）。
【００４４】
然る後、これら９種類のフローリング材１０（Ａ）〜（Ｉ）を、フローリングセット３２を構成する単位枚数（本実施例では６枚）ずつ順に取り出して積み重ねた後、梱包することにより、フローリングセット３２が完成する。
【００４５】
この実施例によれば、互いに異なる化粧柄２８を有するフローリング材１０を、１つのフローリングセット３２を構成する数よりも多く形成しているので、図８に示すように、いずれかのフローリング材１０に不良が見つかり、当該不良フローリング材１０（図８（ａ）では、（Ｄ）のフローリング材１０が不良であり、図８（ｂ）では、（Ｄ）および（Ｅ）のフローリング材１０が不良である場合を示している。）を取り除いた後、次のフローリング材１０を順に前に詰めていったとしても、上述のように化粧柄２８が互いに異なるフローリング材１０を１つのフローリングセット３２を構成する数よりも多く形成していることから、１つのフローリングセット３２中に同じ化粧柄２８のフローリング材１０が収納されるのを回避し、同一の化粧柄２８が床面に表れる頻度を下げるとともに、同一の化粧柄２８同士を適度に離間させて配置することにより、床面に表れる化粧柄２８全体の見た目をより自然にすることができる。
【００４６】
なお、本実施例では、３尺×６尺サイズの大判の木質基板１２を用いて１尺×６尺サイズのフローリング材１０を形成したが、木質基板１２およびフローリング材１０のサイズはこれに限定されるものではない。すなわち、木質基板１２は、３尺×６尺サイズが一般的であるが、いわゆる３尺×１０尺サイズや２尺×８尺サイズ等、設備に適合したサイズの木質基板１２を使用すればよく、フローリング材１０については、１尺×６尺サイズのみならず、５寸×６尺サイズ、５寸×３尺サイズ、４５０ｍｍ角サイズ等から選択されてもよい。
【符号の説明】
【００４７】
１０…フローリング材
１２…木質基板
１４…印刷化粧シート
１６…クリア樹脂層
２０…雄実部
２２…雌実部
２４…嵌合空間部
２６…突出部
２８…化粧柄
３２…フローリングセット
【図１】
2012056614.tif 000003
【図２】
2012056614.tif 000004
【図５】
2012056614.tif 000005
【図３】
2012056614.tif 000006
【図４】
2012056614.tif 000007
【図６】
2012056614.tif 000008
【図７】
2012056614.tif 000009
【図８】
2012056614.tif 000010
【図９】
2012056614.tif 000011